(57)【要約】【課題】筐体に対し前扉をがたつきなく閉鎖して隙間が生じないように堅固にロックすることができると共に、不正解錠を防止することができる遊技機用施錠装置を提供する。【解決手段】受け部２１，２２には歯車部３，４を進入させる進入凹部２３、２４が形成されると共に、進入凹部２３，２４の内面にラック２５，２６が歯車部３，４の進入方向に向けて形成される。歯車部３，４には、係合歯車５，６が回転可能に軸支されると共に、係合歯車５，６の軸と同軸上にラチェット歯車７，８が軸支される。ラチェット歯車７，８のラチェット爪９，１０を非噛合側に揺動させるための解錠部材１１が摺動可能に配設される。解錠部材１１をシリンダ錠１３の錠軸に固定したカム板１２に連係可能とし、解錠部材１１には解錠方向への移動を阻止するロック部１１ｂがカム板側に突設されている。【選択図】図２
2005143966.tif 000002
【特許請求の範囲】
【請求項１】
筐体の内側に固定された受け部内のラックに、前扉の内側に固定された装置本体の歯車部を噛合させて前扉を施錠する遊技機用施錠装置であって、該受け部には歯車部を進入させる進入凹部が形成されると共に、該進入凹部の内面にラックが歯車部の進入方向に向けて形成され、該歯車部には、係合歯車が回転可能に軸支されると共に、該係合歯車の軸と同軸上にラチェット歯車が軸支され、該ラチェット歯車のラチェット爪を非噛合側に揺動させるための解錠部材が摺動可能に配設され、該解錠部材をシリンダ錠の錠軸に固定したカム板に連係可能とすると共に、該解錠部材には該カム板の非回動時に該カム板に係合して解錠部材の解錠方向への移動を阻止するロック部が該カム板側に突き出して設けられたことを特徴とする遊技機用施錠装置。
【請求項２】
前記受け部は受け基枠の上部と下部に取り付けられると共に、前記歯車部は装置本体の基枠の上部と下部に取り付けられ、該装置本体の基枠に前記シリンダ錠が取り付けられ、前記ラチェット歯車の歯数が前記歯車部の係合歯車の歯数より多く形成されていることを特徴とする請求項１記載の遊技機用施錠装置。
【請求項３】
前記解錠部材のロック部は、前記錠軸の略軸心上を通り前記解錠部材の摺動方向に沿った軸線上に略位置する前記カム板の当接部に当接可能に、該カム板側に突き出されている請求項１記載の遊技機用施錠装置。
【発明の詳細な説明】
【技術分野】
【０００１】
本発明は、パチンコ機、スロットマシンなどの遊技機の前面枠（前扉）を本体枠（筐体体）に対し施錠する施錠装置に関し、特に前面枠を本体枠に対しがたつきなく閉鎖し施錠することができ、また不正解錠を防止し得る遊技機用施錠装置に関する。
【背景技術】
【０００２】
遊技機の前面枠（前扉）を本体枠に対し施錠する施錠装置として、略断面Ｌ字状の取付板と支持板からなる基枠の内側に、摺動杆が摺動可能に配設され、支持板の上部と下部に鉤部が摺動杆に連結されて傾動可能に枢支され、取付板の中間部にシリンダ錠がその錠軸を取付板に設けた孔から内側に差込むように固定され、錠軸の先端に摺動杆と係合するカム部材が固定されてなる施錠装置が、一般に使用されている（例えば下記特許文献１などを参照）。
【特許文献１】実公昭５８−４１９９８号公報
【発明の開示】
【発明が解決しようとする課題】
【０００３】
この種の施錠装置は、遊技機の前面枠の自由端の内側に、その鉤部を本体枠側に向けて縦に固定され、本体枠の内側には、上下の鉤部に対向する位置に、受け部が固定される。そして、前面枠を閉じたとき、その鉤部が受け部に当って傾動しまたは平行移動した後、ばねの付勢力により元の係止姿勢に戻ることにより、鉤部が受け部に係止され施錠される。
【０００４】
しかしながら、このような構造の施錠装置では、鉤部が受け部に対し係止動作を行う際、鉤部の傾動または平行移動を良好にするために、通常、鉤部と受け部の間に僅かな隙間を生じるようにし、或いはばねの付勢力に抗して鉤部が動き得る状態にしている。このため、施錠された遊技機の前面枠を持って開放方向に引いた場合、僅かではあるが前面枠にがたつきが生じ、それによって、前面枠と本体枠の間に隙間が生じる場合があった。このような隙間が前面枠と本体枠の間に生じた場合、その隙間から針金などを差し込んで不正解錠が行なわれる間題があった。
【０００５】
本発明は、上記の課題を解決するためになされたもので、筐体に対し前扉をがたつきなく閉鎖して隙間が生じないように堅固にロックすることができると共に、不正解錠を防止することができる遊技機用施錠装置を提供することを目的とする。
【課題を解決するための手段】
【０００６】
上記の目的を達成するために、本発明の請求項１の施錠装置は、筐体の内側に固定された受け部内のラックに、前扉の内側に固定された装置本体の歯車部を噛合させて前扉を施錠する遊技機用施錠装置であって、受け部には歯車部を進入させる進入凹部が形成されると共に、進入凹部の内面にラックが歯車部の進入方向に向けて形成され、歯車部には、係合歯車が回転可能に軸支されると共に、係合歯車の軸と同軸上にラチェット歯車が軸支され、ラチェット歯車のラチェット爪を非噛合側に揺動させるための解錠部材が摺動可能に配設され、解錠部材をシリンダ錠の錠軸に固定したカム板に連係可能とし、解錠部材にはカム板の非回動時にカム板に係合して解錠部材の解錠方向への移動を阻止するロック部がカム板側に突設されたことを特徴とする。
【０００７】
ここで、上記施錠装置においては、請求項２のように、受け部は受け基枠の上部と下部に取り付けられると共に、歯車部は装置本体の基枠の上部と下部に取り付けられ、装置本体の基枠にシリンダ錠を取り付け、ラチェット歯車の歯数を係合歯車の歯数より多く形成するとよい。
【０００８】
また、上記施錠装置においては、請求項３のように、解錠部材のロック部は、カム板の略軸上を通り基枠の長手方向に沿った軸線上に位置するカム板の端部に当接するように、カム板側に突き出して配置するとよい。
【発明の効果】
【０００９】
この遊技機用施錠装置は、遊技機の前扉を筐体に対し閉じると、前扉側の歯車部の係合歯車が筐体側の受け部の進入凹部内に進入する。このとき、装置本体側の係合歯車が、進入凹部内のラックに噛合して内部に進入する。ラックには多数の鋸歯が進入方向に向かって配置され、係合歯車にはラチェット歯車が同軸上に配設されるため、係合歯車は後戻りすることができない。
【００１０】
このため、前扉を筐体に対して閉じるに応じて、歯車部が受け部の奥まで進入し、その進入位置を保持するように係合歯車がラックに噛合すると共に、ラチェット歯車が係合歯車の開放側への回動を強固にロックする。このため、前扉は施錠状態となり、前扉をがたつきなく堅固に施錠することができる。
【００１１】
さらに、施錠状態では、解錠部材のロック部がカム板の当接部に当接して解錠方向の移動を阻止するため、針金などを差し込んで解錠部材に引っ掛けそれを解錠方向に引くなどして行われる不正解錠を防止することができる。
【００１２】
この場合、請求項３のように、解錠部材のロック部は、カム板の略軸上を通り基枠の長手方向に沿った軸線上に位置するカム板の当接部に当接可能とするように、カム板側に突き出して配置した場合、カム板の当接部がシリンダ錠の回動方向のがたつきの影響を受けにくい状態で、ロック部を当接部に当接可能とすることができ、解錠部材の解錠方向への移動を確実にロックして、不正解錠を防止することができる。
【００１３】
さらに、ラチェット歯車の歯数を係合歯車の歯数より多くすることにより、前扉を筐体側に閉じる閉鎖力に応じて、係合歯車が噛合するラックのピッチより小さいピッチで、歯車部を受け部に対しロックすることができる。つまり、ラチェット歯車が係合歯車より細かい角度でロックすることができるため、係合歯車のピッチつまりラックの歯のピッチより細かいピッチで係合歯車のロックが可能となり、歯車部を有する装置本体の僅かな移動に応じて、ラックに噛合する係合歯車をロックすることができる。
【００１４】
したがって、前扉を筐体側に押して閉じたとき、閉じる動作に応じてラックのピッチより細かいピッチでラチェット歯車つまり係合歯車がロックされるため、前扉は筐体に対しがたつきなく、堅固に施錠することができる。またこれによって、係合歯車とラックの歯は、ある程度大きく強固に製作することができ、強度の高い施錠装置とすることができる。
【００１５】
前扉を解錠する場合は、キーによってシリンダ錠を回し、カム部材を所定方向に回転させると、カム部材の回動によって、それに連係された解錠部材が摺動してラチェット歯車のラチェット爪を外す方向に回動させる。これにより、ラチェット歯車の爪が外れて回動自在の状態となり、係合歯車が回動可能な状態となって前扉が解錠され、歯車部が回動しながら後退して受け部の進入凹部内から退出し、前扉は開放される。
【発明を実施するための最良の形態】
【００１６】
以下、本発明の実施例を図面に基づいて説明する。図１は前扉に取り付けられる装置本体１の右側面図を示し、図２はその背面図を示し、図３はその分解図を示している。この施錠装置は、概略的には、筐体側の内側に固定された受け部２１，２２に、前扉側の内側に固定された装置本体１の歯車部３，４を進入させながらロックして前扉を施錠するように構成される。
【００１７】
装置本体１は、縦長の基枠２を有し、基枠２は、長尺の取付板２ａと支持板２ｂを直角に曲折してＬ型アングル状または断面コ字状に形成される。その支持板２ｂの上部と下部に歯車取付部２ｄが背面側に突出して形成され、その歯車取付部２ｄに歯車部３，４の係合歯車５，６とラチェット歯車７，８が同軸（水平軸）上で回転可能につまり垂直状態で回転可一能に軸支されている。図９に示すように、係合歯車５，６は歯車取付部２ｄの内側に、ラチェット歯車７，８は歯車取付部２ｄの外側に同軸上に軸支されている。
【００１８】
さらに、ラチェット歯車７，８は係合歯車５，６より大径に、係合歯車５，６はラチェット歯車７，８より小径に形成され、ラチェット歯車７，８の歯数は係合歯車５，６の歯数より多く形成され、ラチェット歯車７，８の歯のピッチは係合歯車５，６の歯のピッチより小さく形成され、後述のラック２５，２６の１ピッチより小さいピッチで施錠ロックがかかるようにしている。
【００１９】
さらに、上部と下部のラチェット歯車７，８には、各々その上方に、ラチェット爪９，１０が軸９ａ，軸１０ａにより揺動可能に軸支され、上部と下部のラチェット爪９，１０は各ラチェット歯車７，８に係合している。これにより、各ラチェット歯車７，８は、通常時、図１の反時計方向には、ラチェット爪９，１０の係止作用により回転を阻止され、時計方向にのみ回転可能である。したがって、各ラチェット歯車７，８と同軸上の係合歯車５，６は、通常時、図１の時計方向にのみ回転可能である。
【００２０】
さらに、基枠２の支持板２ｂの内側に、支持板２ｂの長手方向にそって長尺の解錠部材１１が摺動可能に配設され、そめ解錠部材１１の上端と下端には、連結ピン９ｂ，１０ｂを介してラチェット爪９，１０の端部が連結され、解錠部材１１を上下に摺動させたとき、ラチェット爪９，１０がその軸９ａ，１０ａを軸にして揺動可能である。
【００２１】
解錠部材１１は支持板２ｂの内側で、ガイドピンとガイド長孔或いは支持板の一部を切起して形成したガイド部などにより、所定の範囲で上下摺動可能に支持されている。解解錠部材１１と支持板２ｂとの間には、ばね部材（コイルばね）１４が掛けられ、解錠部材１１はばね部材１４により上方に付勢されている。
【００２２】
したがって、通常時には、解錠部材１１が上昇端に位置し、上部と下部のラチェット爪９，１０はその先端の爪部を図１の下側に押し付け、ラチェット歯車７，８に係合させる状態にあり、解錠のためにシリンダ錠１３とカム板１２により解錠部材１１を下方に移動させると、ラチェット爪９，１０がその軸９ａ，１０ａを軸に上方に回動し、ラチェット歯車７，８との係合を外すように動作する。解錠部材１１の中間部には、後述のカム板１２と係合可能な係合部１１ａが形成され、さらに、解錠部材１１の上部にはロック部１１ｂが支持板２ｂに設けた開口部から外側に突き出すように設けられている。
【００２３】
さらに、図２、図４に示すように、基枠２の取付板２ａの略上部には、支持板２ｂの外側に突き出すように、補助取付板２ｃがシリンダ錠１３を取り付けるために固定されている。シリンダ錠１３は、その補助取付板２ｃに形成された凹部に挿入され、その元部のフランジ部１３ａを板１２ｃ上に固定ねじなどで締め付け固定して取り付けられる。
【００２４】
シリンダ錠１３の錠軸１３ｂには、当接部１２ａと係合部１２ｂを設けたカム板１２が固定され、当接部１２ａは上記解錠部材１１のロック部１１ｂの真下に位置し、その係合部１２ｂは錠軸１３ｂの回動時、上記解錠部材１１の係合部１１ａに係合可能である。解錠部材１１のロック部１１ｂは、図１４に示すように、カム板１２の略軸上を通り基枠の長手方向に沿った軸線Ｌ上に略位置するカム板１２の当接部１２ａに当接可能なように、カム板１２側に突き出して配置される。
【００２５】
これにより、カム板１２とシリンダ錠１３の錠軸１３ｂのがたつきの影響を少なくして、施錠状態では解錠部材１１の解錠方向への移動を、ロック部１１ｂとカム板１２の当接部１２ａの当接により阻止し、不正解錠を効果的に防止するようにしている。
【００２６】
また、カム板１２の係合部１２ｂと反対側にはスイッチ作動部材１７用の係合部１２ｃが設けられる。一方、筐体３０側に固定される受け具は、図６〜図９に示すように、縦長の枠状に形成された受け基枠２０の上部と下部に、受け部２１，２２を設けて形成される。
【００２７】
その受け部２１，２２には、装置本体１の係合歯車５，６を進入させるための進入凹部２３，２４が各々形成され、進入凹部２３，２４の内面底部にラック２５，２６が固定ねじ２８によって固定されている。
【００２８】
受け部２１，２２は板材を略コ字状に曲折して形成され、上部に上板部２１ａ，２２ａが形成され、その内側に、矩形断面形状の進入凹部２３，２４が形成される。ラック２５，２６はその進入凹部２３，２４の底部に水平に且つ歯の並設方向を前後方向に配置して固定されている。ラック２５，２６は各々上記係合歯車５，６と同じピッチの鋸歯を有し、その歯車と噛合可能である。
【００２９】
また、受け部２１，２２の進入凹部２３，２４はその前部を開口して進入口を形成している。装置本体１側の係合歯車５，６が進入凹部２３，２４内に進入しラック２５，２６に噛合したとき、係合歯車５，６をラック２５，２６と上板部２１ａ，２２ａとの間に強固に保持し、施錠状態とする構造である。
【００３０】
なお、図２に示すように、装置本体１の補助取付板２ｃ上には、非接触スイッチ１８が遊技機のリセット用などのために取り付けられ、このスイッチ１８をキー操作によりオンオフするために、基枠２の内側の解錠部材１１と支持板２ｂとの間に、スイッチ作動部材１７が摺動可能に配設されている。
【００３１】
このスイッチ作動部材１７には、スイッチ作動部１７ａが補助取付板２ｃ側に突出して設けられ、また、その内側には、カム板１２と係合可能な係合部１７ｂ（図３）が設けられている。さらに、このスイッチ作動部材１７と解錠部材１１間には、ばね部材（コイルばね）１４が掛けられ、スイッチ作動部材１７を下方に付勢し、解錠部材１１を上方に付勢している。
【００３２】
このように構成された施錠装置は、図１１〜図１３に示すように、その装置本体１が、遊技機における例えば合成樹脂製の前扉３１の内側に、シリンダ錠１３の先端を前面に露出させ、装置本体１を遊技機の箇体３０側に突出した状態に、縦方向に取り付けられる。その取り付けは、取付板２ａに設けた固定孔に固定ねじなどを通し、前扉３１の中間部にねじ込むなどして行われる。
【００３３】
一方、筐体３０の内側の装置本体１に対応した上下位置（側壁の一部）には、図１１に示すように、受け具の受け基枠２０がその受け部２１，２２の進入凹部２３，２４の進入口を前方に向けて、固定ねじなどで固定される。
【００３４】
このような遊技機用施錠装置は、遊技機における前扉３１を筐体３０に対し閉じると、図１１、図１２に示すように、装置本体１の上部と下部の歯車部３，４の係合歯車５，６が、筐体３０側の受け部２１，２２の進入凹部２３，２４内に進入する。このとき、装置本体１の歯車部３，４の係合歯車５，６は、受け部２３，２４の内側のラック２５，２６に噛合して回転しながら進入していく。
【００３５】
このとき、歯車部３，４では、係合歯車５，６と同軸上に軸支されたラチェット歯車７，８が回転し、ラチェット歯車７，８は回転可能な方向（図１、図１２の時計方向）のみに回転し、ラチェット爪９，１０の作用により逆方向には回転しない。このため、係合歯車５，６はラック２５，２６上を前進方向（図１２の右方向）のみに回転しながら進み、前扉３１が筐体３０に密に閉鎖されたとき、その閉鎖状態がロックされる。また、係合歯車５，６がラック２５，２６上を噛合して前進するとき、後退方向への動きはラチェット歯車７，８により阻止されるが、ラチェット歯車７，８の歯数は係合歯車５，６の歯数より多く形成され、ラチェット歯車７，８の歯のピッチは係合歯車５，６の歯のピッチより小さく形成されている。
【００３６】
このため、係合歯車５，６がラック２５，２６上を噛合して進むとき、ラチェット歯車７，８の歯の移動数は、係合歯車５，６の歯の移動数より多くなる。したがって、例えばラック２５，２６のピッチが１mmと比較的大きいピッチであっても、係合歯車５，６の移動ピッチは０.５mmという細かいピッチでロックすることができるため、ラック２５，２６、及び係合歯車５，６の歯は、比較的大きくして形成して強度を上げながら、閉鎖ピッチは細かくすることができる。
【００３７】
このように、係合歯車５，６がラック２５，２６上を噛合して前進しながら、前扉３１が筐体３０に対し閉じられるが、装置本体１の係合歯車５，６が、ラック２５，２６の鋸歯の例えば半ピッチという細かい押し込み量で、装置本体１が受け部２１，２２に対し徐々にロックされていくため、最終的に前扉３１を閉じた状態では、扉と筐体の間に殆ど隙間が生じず、前扉３１はがたつきのない状態で筐体３０に対し堅固にロックされる。
【００３８】
前扉３１を解錠する場合は、図１３に示すように、キーをシリンダ錠１３に差し込みその錠軸１３ｂを回し、カム板１２を図１４の反時計方向に回転させると、カム板１２の回転により、カム板１２の係合部１２ａが同方向に回動して、支持板２ｂの開口部を通して、解錠部材１１の係合部１１ａに係合し、それを下方に摺動させる。
【００３９】
このとき、解錠部材１１が下降することにより、その上端と下端に連結されたラチェット爪９，１０が図１３の反時計方向に回動し、ラチェット爪９，１０とラチェット歯車７，８の係合が外れる。
【００４０】
これにより、ラチェット歯車７，８がフリーな状態となり・上下の歯車部３・４の係合歯車５，６のロックが解除され、図示しない開方向への付勢手段あるいは開操作により、係合歯車５，６が受け部２１，２２のラック２５，２６上を回転しながら、進入凹部２３，２４内から退出し、前扉３１は開放される。
【００４１】
一方、シリンダ錠１３に挿入したキーを左側に回すと、カム板１２が図２の時計方向に回動し、カム板１２の下部の係合部が支持板２ｂの内側に進入し、スイッチ作動部材１７に係合してそれを上方に摺動させる。これにより、スイッチ作動部材１７のスイッチ作動部１７ａが補助取付板２ｃ上の非接触スイッチ１８内に進入し、それをオンオフ動作させ、遊技機のリセットなどが行われる。
【００４２】
この施錠装置は、施錠状態において、図１４（ａ）に示すように、解錠部材１１のロック部１１ｂがカム板１２の当接部１２ａの真上に位置しているため、不正解錠を目的として針金などを筐体内に差し込み、解錠部材１１を引っ掛けて解錠方向（下方）に摺動させようとしても、ロック部１１ｂがカム板１２の当接部１２ａに当り、下方に摺動させることができず、不正解錠を防止することができる。
【００４３】
また、このロック部１１ｂは、図１４（ａ）に示すように、カム板１２の軸つまり錠軸１３ｂの軸心位置を通る長手方向（解錠部材１１の摺動方向）に沿った軸線Ｌ上に略位置する部分で、カム板１２の当接部１２ａと当接するようにしている。
【００４４】
シリンダ錠の錠軸は一般に、その回転方向にがたつきが生じやすいが、錠軸の軸と垂直方向にはがたつきが少ない構造であるため、上記のように、錠軸１３ｂの軸心位置を通る長手方向（解錠部材１１の摺動方向）に沿った軸線Ｌ上に略位置するカム板１２の当接部１２ａで、ロック部１１ｂを当ててロックすることにより、シリンダ錠１３の錠軸のがたつきの影響を受けずに、施錠状態にある解錠部材１１の摺動をロックして不正解錠を阻止することができる。
【００４５】
なお、施錠状態におけるロック部１１ｂとカム板１２の当接部１２ａとの隙間は、ゼロに限りなく近い状態が理想であるが、ロック部１１ｂが当接部１２ａに接触していても、カム板１２が回動可能な状態であれば間題はなく、また、不正解錠により解錠部材１１を摺動させたとき、ラチェット爪が外れない範囲で、解錠部材１１が摺動する程度の幅であれば、隙間があっても間題はない。
【００４６】
このように、本施錠装置では、前扉３１を筐体３０に対し閉じるに応じて、上下の歯車部３，４の係合歯車５，６が受け部２１，２２内に進入し、その内側のラック２５，２６に噛合しながら奥に進入していく。
【００４７】
このために、筐体３０に対し前扉３１を閉じて押し込んだとき、その押し込み量に応じて、装置本体１が受け部２１，２２側に進入しロックされる状態となり、最終的に前扉３１を閉じた状態では、筐体３０と前扉３１との間に殆ど隙間が生じない状態となり、前扉３１を箇体３０に対しがたつきのない状態で堅固にロックすることができる。
【００４８】
また、受け部２１，２２内に設けたラック２５，２６の鋸歯はそのピッチが大きい場合でも、ラチェット歯車７，８の歯数を係合歯車５，６の歯数より多くし、ラチェット歯車７，８の歯のピッチを係合歯車５，６の歯のピッチより小さくすることにより、係合歯車５，６を例えば半ピッチで進めることができ、細かい押し込み量でロックすることが可能となり、筐体３０に対し前扉３１を一層隙間なく且つがたつきなく施錠することができる。
【００４９】
さらに、施錠状態では、解錠部材１１の解錠方向への摺動が、カム板側に突き出したロック部１１ｂとカム板１２の当接部１２ａとの当接により阻止されるため、針金などを差し込んで行う不正解錠を防止することができる。
【００５０】
以上説明したように、本発明の遊技機用施錠装置によれば、ラチェット歯車と同軸上に軸支された係合歯車とラックの噛合により前扉が施錠状態となるから、前扉を筐体側に押し付けるように閉鎖して施錠した場合、前扉と筐体の間に殆ど隙間が生じず、前扉をがたつきのない状態で、堅固に施錠することができる。
【００５１】
また、ラチェット歯車の歯数を係合歯車の歯数より多くし、ラチェット歯車の歯のピッチを係合歯車の歯のピッチより小さくすることにより、係合歯車の歯のピッチより細かい押し込み量で前扉をロックすることが可能となり、筐体に対し前扉を一層隙間なく且つがたつきなく施錠することができる。
【００５２】
さらに、施錠状態において、解錠部材の解錠方向への摺動が、カム板側に突き出したロック部とカム板の当接部との当接により阻止されるため、針金などを差し込んで行う不正解錠を防止することができる。
【図面の簡単な説明】
【００５３】
【図１】本発明の一実施形態を示す施錠装置の装置本体１の右側面図である。
【図２】装置本体１の背面図である。
【図３】装置本体１の分解右側面図である。
【図４】装置本体１の分解背面図である。
【図５】受け具の右側面図である。
【図６】受け具の分解右側面図である。
【図７】受け具の背面図である。
【図８】受け具の分解背面図である。
【図９】装置本体上部と受け具上部の部分斜視図である。
【図１０】装置本体上部の分解斜視図である。
【図１１】施錠装置の使用状態を示す右側面図である。
【図１２】施錠状態を示す右側面図である。
【図１３】解錠時の右側面図である。
【図１４】（ａ）は解錠部材のロック部１１ｂがカム板の当接部１２ａに当接してロックした状態を示す説明図、（ｂ）（ｃ）はキーによりシリンダ錠を操作して解錠したときのカム板の動きを示す説明図である。
【符号の説明】
【００５４】
１  装置本体
２  基枠
２ａ  取付板
２ｂ  支持板
３，４  歯車部
５，６  係合歯車
７，８  ラチェット歯車
９，１０  ラチェット爪
１１  解錠部材
１１ｂ  ロック部
１２  カム板
１２ａ  当接部
１３  シリンダ錠
２１，２２  受け部
２３，２４  進入凹部
２５，２６  ラック
【図１】
2005143966.tif 000003
【図２】
2005143966.tif 000004
【図３】
2005143966.tif 000005
【図４】
2005143966.tif 000006
【図５】
2005143966.tif 000007
【図６】
2005143966.tif 000008
【図７】
2005143966.tif 000009
【図８】
2005143966.tif 000010
【図９】
2005143966.tif 000011
【図１０】
2005143966.tif 000012
【図１１】
2005143966.tif 000013
【図１２】
2005143966.tif 000014
【図１３】
2005143966.tif 000015
【図１４】
2005143966.tif 000016